(57)【要約】  特に透過画像化又は治療における超音波収差を、２次元受信トランスデューサアレイ（１０４、１０８）により、受信した超音波の収差の横方向に２次元性をキャプチャすることにより補正する。いくつかの実施形態では、透過超音波（１６４）は、時間的ウィンドウにより照射され、例えば、一度に１つ以上のリアル又はバーチャルの点音源（１６０）から放射される。各点音源は１つのトランスデューサ要素、又はパッチ、又は要素又はパッチの集まりのジオメトリカルフォーカスである。一態様では、パッチは近接場における小さなフォーカスされたトランスデューサとして機能する。対側アレイ（１０４、１０８）は、一実施例では、点音源よりなる。いくつかの態様では、独立変数的には、受信トランスデューサのアレイ構造に対応するように構成された収差マップは収差推定を化体し、超音波デバイスは、超音波送受信の位置の改善又はビーム形成の補正をするためにデバイス設定を修正することにより、超音波オペレーションを改善するように構成されている。改善には、ビーム配置の可視化、強度とビーム形状の予測が含まれる。
2013503681.tif 000002
【特許請求の範囲】
【請求項１】
不均一媒体を通過した透過超音波を受信するように構成された２次元トランスデューサアレイを有する装置であって、
前記受信した超音波の収差推定を行い、前記推定の結果が超音波オペレーションの改善に用いられるようにするように構成された、装置。
【請求項２】
前記結果に基づき、ａ）超音波送信又は超音波受信の少なくとも一方のロケーションの改善、及びｂ）超音波のビーム形成の補正のうち少なくとも一方をするために、前記装置の設定を修正するように構成された、
請求項１に記載の装置。
【請求項３】
前記改善をするための修正は、音響ウィンドウの選択された配置及び選択された範囲のうち少なくとも一方に基づく、
請求項２に記載の装置。
【請求項４】
前記結果は、エレベーションとアジマスの両方が独立変数であり、前記修正は前記少なくとも１つのマップに基づく、
請求項２に記載の装置。
【請求項５】
前記結果は、空間的に独立な変数を有する複数の収差マップを含み、信号時間遅延、信号振幅、及び信号歪みのうち少なくとも２つが各マップの従属変数である、
請求項１に記載の装置。
【請求項６】
前記結果は信号振幅マップと信号歪みマップのうち少なくとも一方を有し、前記デバイスは前記マップの少なくとも一方を重み付けマップとして利用して、個々のトランスデューサ要素又は個々のパッチのビーム形成に対する貢献を調整するように構成された、
請求項１に記載の装置。
【請求項７】
さらに、対側トランスデューサアレイを有し、１つの超音波送信パルスから、両側からビーム形成を受けるように構成された、
請求項１に記載の装置。
【請求項８】
さらに前記ビーム形成により両側で取得した画像を合成するように構成された、
請求項７に記載の装置。
【請求項９】
前記透過超音波は前記対側アレイから放射され、前記装置は、前記ビーム形成が、前記収差推定と、対側に受信した透過超音波への収差推定の両方に基づく収差補正を考慮するように構成されている、
請求項７に記載の装置。
【請求項１０】
対側トランスデューサアレイに分布した、パッチ又はトランスデューサ要素である点音源から、前記透過超音波を放射し、実行された収差推定に基づき、音響ウィンドウを選択するように構成された、
請求項１に記載の装置。
【請求項１１】
前記２次元アレイと対側アレイのうち少なくとも１つを、そのパッチのサイズより小さい距離だけ並進移動するように構成されたアレイ配置アジャスタを更に有する、
請求項１に記載の装置。
【請求項１２】
前記トランスデューサアレイに対側配置するために、前記透過超音波の音源を更に有する、請求項１に記載の装置。
【請求項１３】
前記音源はパッチを有し、その入力は最初に別々にビーム形成され、前記実行のため、前記アレイに対して点音源として機能する、
請求項１２に記載の装置。
【請求項１４】
前記音源は対側アレイを有し、前記デバイスは前記対側アレイから側頭骨１７６の外側表面にビームをフォーカスするように構成され、前記フォーカスは、前記実行のため、前記トランスデューサアレイに対して点音源として機能する、
請求項１２に記載の装置。
【請求項１５】
前記通過は前記媒体の一部を通り、前記改善は前記超音波を前記部分の特性に調節する、請求項１に記載の装置。
【請求項１６】
マルチエレメントトランスデューサアレイとディスプレイとを有する装置であって、収差推定の結果に基づいて、対応する収差ビームの形状を予測し、前記ディスプレイに前記予測した形状を表示するように構成された装置。
【請求項１７】
前記収差推定は、不均一媒体を通り、２次元である前記トランスデューサアレイで受信された透過超音波に対して行われる、
請求項１６に記載の装置。
【請求項１８】
ある瞬間に、２以上の空間次元で、不均一媒体を通過した透過超音波を受信する段階と、
前記受信した超音波に、前記２以上の空間次元で横収差を提供する収差推定を実行する段階であって、前記推定の結果は超音波オペレーションの改善に用いることができる段階と、を有する方法。
【請求項１９】
前記改善する段階は、２以上の次元を有する位相遅延マップに基づき位相遅延を修正することにより、収差を補正する段階であって、前記マップの要素のペアの間の相対的時間ラグを前記修正に用いる段階を有する、
請求項１８に記載の方法。
【請求項２０】
超音波照射線量の調整手順であって、
対側構成のトランスデューサアレイを設ける段階と、
治療領域からオフセットしているがその深さにある参照領域にバブルを供給する段階と、
強度を上げながら超音波を照射し、前記アレイの少なくとも１つにより、前記強度の上昇に対する、前記バブルの振動のサブハーモニック周波数成分の振幅の増加をモニターする段階と
を有する手順。
【請求項２１】
２次元トランスデューサアレイにより受信した透過超音波の収差推定の結果を用いて、自動的にかつユーザ介入を必要とせずに、前記デバイスの設定を修正して、少なくともａ）超音波送信と超音波受信の少なくとも一方の位置の改善と、ｂ）超音波のビーム形成の補正とのうち少なくとも一方を行うように構成された装置。
【請求項２２】
不均一媒体を通過した透過超音波を受信する２次元トランスデューサアレイの使用により、超音波オペレーションの改善を実現するコンピュータソフトウェアであって、プロセッサにより実行されうる、複数の段階を実行する命令を含むコンピュータプログラムを化体するコンピュータ読み取り可能媒体を有し、前記複数の段階は、
前記受信した透過超音波に収差推定を行い、前記推定の結果は前記改善に利用可能である段階を有する、コンピュータソフトウェア。
【請求項２３】
製品であって、不均一媒体を通過して２次元トランスデューサアレイにより受信された透過超音波の収差推定を実行し、前記推定の結果は超音波オペレーションの改善に仕様できるプロセスを可能にする命令をエンコードされた機械読み出し可能媒体を有する、製品。
【発明の詳細な説明】
【技術分野】
【０００１】
本発明は、超音波収差推定と補正に関し、より具体的には、透過超音波による推定に関する。
【背景技術】
【０００２】
脳卒中は世界的に見て主要な死因のひとつであり、緊急の脳卒中治療はｔＰＡ（tissue  plasminogen  activator）などの血栓溶解剤しかない。
【０００３】
最近の臨床研究によると、ｔＰＡ治療に加えて超音波を用いると虚血性脳卒中患者の予後が改善することも分かった。
【０００４】
脳卒中患者にとって「時間は脳である」なので、早期診断をして、できるだけ早く何らかの治療を開始することが望ましい。救急車内などの緊急の場合に診断、治療、及び治療のモニタリングを行う、医療用超音波などの非侵襲的かつ利用が容易な方法が明らかに必要である。
【０００５】
超音波ビームに対して人間の頭蓋は強い周波数依存収差効果を有する。側頭骨（頭蓋の最も薄い部分）でさえその凸性と、表面の粗さと、超音波ビームが脳に入る又は脳から出るときの複数のインピーダンスとのため、超音波ビームを強く回折、反射、及び減衰する。これらの効果は患者毎に大きく違い、頭蓋の位置や超音波トランスデューサの方向に強く依存し、頭蓋を通した音波血栓溶解（sonothrombolysis）の効率と再現性の両面に影響する。
【０００６】
従来のパルス・エコーモードにおける適応的収差補正（リフォーカシング）法はこれらの問題を解決する可能性を秘めている。しかし、かかる方法は、超音波画像化アプリケーションでは、今のところほとんど治療には使われていない。これらは、検査している組織により後方散乱されたノイズが多く相関が乏しい信号に依存し、収差の推定がうまくできない。これは、頭蓋の挿入損失が強い経頭蓋超音波画像化にとって特に問題となる。コンピュータトモグラフィにより求めた頭蓋形態に基づくその他の実験的な方法は、緊急の場合には現実的ではない。緊急の脳卒中患者にはコンピュータトモグラフィ（ＣＴ）が利用できない場合があり、ＣＴと超音波のコ・レジストレーションが複雑で時間を要するからである。
【０００７】
非臨床的場合の実験では、受信リニアアレイへの超音波源としてトランスデューサを用い、人間の頭蓋骨の外側にアレイを当て、頭蓋骨の内側に超音波を入射する。入射波面（arriving  wavefront）は、トランスデューサの開口サイズを調節することにより、規則的な形状に、すなわち球面の一部のような形状にできるが、骨により収差を生じる。受信時の遅延を調整して波面に規則性を回復すると、受信側から及び骨を通して適用される超音波補正の基礎となる。臨床アプリケーションでは、収差測定時に照射する超音波は、頭部の両側の骨を通して通過しなければならず、減衰が大きな問題となる。
【０００８】
音響周波数の低下は、信号対ノイズ比（ＳＮＲ）を大きくし、経頭蓋波面のコヒーレンスの収差のインパクトを小さくする方法として見られていた。その結果、波長が長くなるので、これを補償するため、開口を大きくして解像度損失を回復する。しかし、開口サイズを大きくすると、回折限界解像度に近づくために何らかの補償や信号処理が必要となることが分かった。非特許文献１を参照。
【０００９】
最近の臨床研究によると、超音波・ｔＰＡ治療と組み合わせて造影マイクロバブルを追加すると、急性脳卒中患者の予後（outcomes）が改善することが分かった。
【００１０】
しかし、現在、マイクロバブルで改善した脳卒中治療の再現性と安全性は、経頭蓋超音波減衰と収差に関する不確実性により非常に評判が落ちている。
【００１１】
記録のある先行技術の欠点を後で解決する。
【先行技術文献】
【非特許文献】
【００１２】
【非特許文献１】「Sampled  Aperture  Techniques  Applied  to  B-Mode  Echoencephalography」、Phillips  D.  J.,  et  al.著、Acoustic  Holograms  ６,  １０３-１２０  (１９７５)
【発明の概要】
【発明が解決しようとする課題】
【００１３】
本願発明者の洞察によると、超音波が側頭骨を通る時に受ける収差の２次元（２Ｄ）性を考慮するとよい。例えば、入ってくる超音波ビーム波面の一部は、２次元空間の横方向に屈折する。その方向は、超音波プローブにより受信される直前に、その超音波ビームの一部が通過する側頭骨の局所的な表面の不規則性があればそれを含み得る要因に依存する。
【００１４】
本提案は、マイクロバブルにより改良した脳卒中治療の現時点での限界を解消し、治療的超音波ビームプロファイル（特に、焦点位置とビーム形状）と超音波強度、すなわち超音波照射線量の正確な制御を可能とすることを目的とする。
【課題を解決するための手段】
【００１５】
ここで提案するものによる発明的デバイスは、不均一媒体を通過した透過超音波を受信するように構成された２次元アレイを含む。このデバイスは、推定結果を超音波オペレーションの改善に用いられるように、受信した超音波に関する収差推定を実行するように構成されている。
【００１６】
本発明の一態様において、上記のデバイスは、前記推定結果に基づき、ａ）超音波送信又は超音波受信の少なくとも一方のロケーションの改善、及びｂ）超音波のビーム形成の補正のうち少なくとも一方をするために、前記装置の設定を修正するように構成されている。
【００１７】
いくつかの実施形態では、修正し位置を改善する段階は、音響ウィンドウの選択された配置及び／又は選択された範囲に基づく。
【００１８】
推定結果について、いくつかのバージョンでは、エレベーションとアジマスの両方が独立変数である少なくとも１つの収差マップを含み、修正はそのマップの１つ以上に基づく。
【００１９】
他の観点から、推定結果は空間的独立変数を有する収差マップを含む。信号時間遅延、信号振幅、及び信号歪みのうち少なくとも２つは、そのマップのそれぞれの従属変数である。
【００２０】
サブバージョンでは、前記結果は信号振幅マップと信号歪みマップのうち少なくとも一方を有し、前記デバイスは前記マップの少なくとも一方を重み付けマップとして利用して、個々のトランスデューサ要素又は個々のパッチのビーム成形に対する貢献を調整するように構成される。
【００２１】
いくつかの態様では、上記デバイスは、対側トランスデューサアレイを有し、１つの超音波送信パルスから、両側からビーム波形を受信するように構成される。
【００２２】
副態様では、上記デバイスは、さらに、ビーム形成により両側で取得された画像を合成するように構成される。
【００２３】
上記デバイスの場合、他の副態様では、透過超音波は対側アレイから放射される。上記デバイスは、ビーム形成において、上記の収差推定と、対側で受信された透過超音波に対する収差推定との両方に基づき、それぞれの受信収差補正を考慮するように、構成される。
【００２４】
さらに別の態様では、上記デバイスは、対側トランスデューサアレイに分布した、パッチ又はトランスデューサ要素である点音源から、前記透過超音波を放射し、実行された収差推定に基づき、音響ウィンドウを選択するように構成される。
【００２５】
別の態様では、上記デバイスは、前記２次元アレイ又は対側アレイを、そのパッチのサイズより小さい距離だけ並進移動するように構成されたアレイ配置アジャスタを含む。
【００２６】
他の一態様では、上記デバイスは、アレイの対側に配置する透過超音波の音源を含む。
【００２７】
副態様では、音源は、入力が最初は別々にビーム形成されるパッチを含む。このパッチは、収差推定の実行の場合、アレイに対して点音源として機能する。
【００２８】
異なる副態様では、音源は対側アレイを有し、デバイスはその対側アレイからのビームを側頭骨の外側表面にフォーカスするように構成されている。このフォーカスは、収差推定の実行の場合、トランスデューサアレイに対して点音源として機能する。
【００２９】
さらに別の一態様では、超音波補正は、透過超音波が通過する不均一媒体の一部の特性に超音波を調整する段階を含む。
【００３０】
さらに別の態様では、デバイスは、マルチエレメントトランスデューサアレイとディスプレイとを有するデバイスであって、収差推定の結果に基づいて、対応する収差ビームの形状を予測し、前記ディスプレイに前記予測した形状を表示するように構成される。
【００３１】
副態様では、前記収差推定は、不均一媒体を通り、２次元である前記トランスデューサアレイで受信された透過超音波に対して行われる、
ここに提案する発明の方法は、ある瞬間に、２以上の空間次元で、不均一媒体を通過した透過超音波を受信する段階と、前記受信した超音波に、前記２以上の空間次元で横収差を提供する収差推定を実行する段階であって、前記推定の結果は超音波オペレーションの改善に用いることができる段階と、を有する。
【００３２】
副態様では、前記改善する段階は、２以上の次元を有する位相遅延マップに基づき位相遅延を修正することにより、収差を補正する。前記マップの要素のペアの間の相対的時間ラグを前記修正に用いる段階を有する。
【００３３】
他の方法は、超音波照射量の調整に関し、対側構成のトランスデューサアレイを設ける段階を含む。また、治療領域からオフセットしているがその深さにある参照領域にバブルを供給する段階を含む。さらに、強度を上げながら超音波を印加し、前記アレイの少なくとも１つにより、前記強度の上昇に対する、前記バブルの振動のサブハーモニック周波数成分の振幅の増加をモニターする段階を含む。
【００３４】
他の態様では、装置は、２次元トランスデューサアレイにより受信した透過超音波の収差推定の結果を用いて、自動的にかつユーザ介入を必要とせずに、前記デバイスの設定を修正して、少なくともａ）超音波送信と超音波受信の少なくとも一方の位置の改善と、ｂ）超音波のビーム成形の補正とのうち少なくとも一方を行うように構成される。
【００３５】
さらに別の一態様では、不均一媒体を通過した透過超音波を受信する２次元トランスデューサアレイの使用により、超音波オペレーションの改善を実現するコンピュータソフトウェア製品である。この製品は、コンピュータプログラムを化体するコンピュータ読み取り可能媒体を有し、そのコンピュータプログラムは、受信した透過超音波に対して収差推定を行い、推定の結果が改善に使えるようにする、プロセッサにより実行されうる命令を含む。
【００３６】
さらに別の態様として、上記のデバイスは１つ以上の集積回路として実施できる。
【図面の簡単な説明】
【００３７】
新規な、経頭蓋超音波収差推定／補正方法と装置の詳細を、次の図面を参照して、以下に説明する。図面では、同じ構成は同じ又は同様の数字により示した。
【図１】２次元超音波トランスデューサアレイの対側構成であって、アレイの一方の点音源が第２のアレイを透過超音波により照射しているものを示す図である。
【図２】推定される収差に基づく音響ウィンドウの選択と、トランスデューサの開口を選択したウィンドウとのアライメントを示す図である。
【図３】パッチへの分割と異なる位置へのアレイの並進移動を示す２次元超音波トランスデューサアレイを示す図である。
【図４】図１の照射により求まる収差マップを示す図である。
【図５】位相遅延補償と、個々のトランスデューサ要素又は個々のパッチのビーム形成への貢献を重み付けマップとして調整する収差マップの使用とを示す概念図である。
【図６】図１の対側構成の修正例であって、右側頭骨の外側表面にフォーカスするように透過アレイを並進移動させたところを示す図である。
【図７】治療的ビームの治療領域への照射を示す、対側構成の一例を示す図である。
【図８】マイクロバブルベースの強度推定であって、超音波強度を測定するためにテストビームの治療領域への照射例と、同じ深さにある参照領域へのテストビームの照射例とを示す図である。
【図９】ビーム収差を考慮した送信ビームの予測形状を現すパターンを示す図である。
【図１０】経頭蓋画像化／治療収差予測／補正プロセスを示すフローチャートである。
【発明を実施するための形態】
【００３８】
図１は、プローブ１１２、１１６にそれぞれ収容された２次元（２Ｄ）トランスデューサアレイ１０４、１０８の対側構成を有する超音波デバイス１１０を例示する図である。アレイ１０４、１０８は、それぞれアレイ配置アジャスタ１２０、１２４に接続されている。アレイ配置アジャスタ１２０、１２４は、ヘッドフレーム又はヘッドピース１２８の各端にそれぞれ接続されている。本発明は特定の生体に限定されないが、ヘッドピース１２８は、人間の患者や温血哺乳類などの動物など医学的対象の頭蓋１３２に固定して、ひも、バックル、ベルクロ（登録商標）、その他の調節可能な手段により指示される。この対象はインビトロ又は生体外の医学的サンプルであってもよい。各プローブ１１２、１１６は、ケーブル１３６、１４０により、超音波装置１４４に接続されている。超音波装置１４４はディスプレイ１４８、プロセッサ１５２、及びユーザ制御パネル１５６を有する。プロセッサ１５２は、波面収差推定／補正、強度制御、及び収差ビームプロファイル予測のためのソフトウェア１５７、及び／または１つ以上の集積回路１５８、及びワーキングメモリ（working  storage）１５９を含む。２次元トランスデューサアレイの対側構成を有する超音波装置の別の潜在的特徴は、Browning  et  al.の共有に係わる国際公開第WO２００８/０１７９９７A２、「Ultrasound  System  for  Cerebral  Blood  Flow  Imaging  and  Microbubble-Enhanced  Blood  Clot  Lysis」に記載されている。この文献の開示はすべてここに参照援用する。
【００３９】
操作上、ある対象の経頭蓋画像化又は治療において出会う収差の推定は、準備手順において行われる。右側（または対側）アレイ１０８のトランスデューサやパッチ（すなわち、隣接する複数のトランスデューサ要素の小グループ）などの点音源１６０から、透過超音波のビーム１６４が放射される。点音源１６０は、点音源の音響パワーを増大する隣接する複数のパッチの組み合わせであってもよい。透過超音波は、伝搬方向で受信するために放射された超音波であり、通常は送信デバイスで受信される反射超音波と対照的である。透過超音波は、パルス・エコーモードと反対の、スルー送信モードで照射された超音波としても知られている。ビーム１６４は、例えば３．２ＭＨｚの、例えば４サイクルごとの、短いパルスで形成されている。ビーム１６４は、左手アレイ１０４に届くまでに右側頭骨１７２と次の左側頭骨１７６を含む不均一媒体１６８を通過する。「側頭骨」との用語は、１つの頭蓋骨を指して用いられることもあるが、ここでは、左又は右の側頭骨のどちらかを指すものとする。
【００４０】
点音源より大きい開口を用いて、右側頭骨１７２を通る超音波を右から放射すると、骨の表面と形状の不規則性により現れる波面は収差を起こす。頭蓋１３２のサイズと右側頭骨１７２により生じる収差の強さに対して、開口のサイズは選択可能であり、そのため収差を生じた波面は頭蓋の反対側に届く時間により安定化される。
【００４１】
超音波源をトランスデューサ要素やパッチなどの点音源１６０にすることにより、近接場においてはかかる収差効果を仮想的に無くなる。規則正しい波面が頭蓋１３２の反対側に確実に届くことになる。
【００４２】
遠隔場では、左側頭骨１７６は、左手アレイ１０４に届く超音波に影響する収差特性を有する不均一媒体１６８の一部である。
【００４３】
（本推定手順の後の）補償において、治療用又は画像化ビームの形式で、反対側からのデリバリーのため、すなわち左手アレイ１０４による、超音波の補正は、その超音波をこれらの特性に合わせることを目的としている。調整（tailoring）は、位相収差補正とビームフォーミングの場合のトランスデューサ要素／パッチの送受信重み付けを含むが、後で詳細に説明する。
【００４４】
推定手順に戻るが、左手アレイ１０４による受信は、いつでも、アレイの２つの空間次元で生じ、それに対応して有利にも収差推定はその２つの空間次元における収差を考慮できる。
【００４５】
例えば、左手アレイ１０４は点音源から超音波を受信する。具体的に、各受信要素１８０、すなわち左手アレイ１０４のパッチや単一のトランスデューサ要素は、一連の圧力値（pressure  readings）をサンプリングする。この値は、その受信要素１８０の、振幅と取得時刻のペア値として記録される。これは、最後の点音源が処理されるまで、次の（隣接する）点音源１６０に対して繰り返される。
【００４６】
ある実施形態では、次に収差推定におけるこのプロトコルを逆にして、左手アレイ１０４の点受信器１８０（新しい点音源として機能する）からの放射を、点受信器ごとに、右手アレイ１０８で受信する。換言すると、右側頭骨１７２の収差特性を推定するために、役割を逆にする。
【００４７】
図２は、例示により、推定した収差に基づく音響ウィンドウ２０４、２０８、２１２の選択と、トランスデューサ開口の選択したウィンドウとのアライメント（aligning）とを示す。推定した収差は収差マップの形式を取り、後で説明する。
【００４８】
推定した収差は収差マップにより２つの空間次元で得られるが、その推定収差に基づき、音響ウィンドウ２０４、２０８、２１２を選択する。
【００４９】
最初に、用語に関して、「側頭ウィンドウ（temporal  window）」とは、側頭骨によりその薄さ及び／または空間的滑らかさにより提供される超音波ウィンドウと、その結果の最小の減衰と超音波に対する収差効果とをいう。「音響ウィンドウ」とは、ここでは、超音波ウィンドウをいい、いくつかの実施形態では、側頭ウィンドウ内の超音波ウィンドウをいう。より具体的に、音響ウィンドウは、超音波トランスデューサ１０４を照射する体表面エリアだけでなく、トランスデューサの開口がアクティブであるエリアの一部も含む。換言すると、音響ウィンドウは、現在の収差推定に基づき、波面収差が最小であると判断される部分である。推定手順は反復的なので、「最良の」、「最適な」、「最も収差が少ない」音響ウィンドウとの用語も用いるが、これらはすべてウォーター（water）（すなわち「軟組織」）パスと比較して減衰、位相ずれ、及び波形歪みが最小の、頭蓋１３２の部分に関する。音響ウィンドウは、ここでは連続したエリアとみなすが、そのエリアのある（孤立した）点は収差推定において好ましい値を受け取らないことがある。
【００５０】
図２の最初の例は、トランスデューサアレイ１０４が部分的に音響ウィンドウ２０４と重なっているところを示す。推定手順は行われている。手順の現在の繰り返しに基づき、音響ウィンドウ２０４を選択した。選択は、音響ウィンドウ２０４の少なくとも１つの配置と範囲の選択を含む。この例では、配置２１６はウィンドウ２０４の中心で特徴付けられる。
【００５１】
次に、音響ウィンドウ２０４を完全に含むようにアレイ１０４をアライメントする（aligning）することにより、アクティブなトランスデューサの開口がそのフットプリント（footprint）でウィンドウを完全にカバーできる。このように、音響ウィンドウ２０４は最小の（またはより少ない）波面収差を与え、アクティブなトランスデューサの開口は超音波送信及び／または受信に関してウィンドウを完全にカバーするように構成できるので、超音波送信及び／または超音波受信の位置を改善されている。これは、収差推定を用いた超音波オペレーションの改善となる。
【００５２】
さらに、初期開口２２０は、ここではアレイ１０４全体を含むが、任意的に音響ウィンドウ２０４に一致する開口２２４にカスタマイズすることができる。これは、超音波送信及び／又は受信の位置に関する別の改善となる。少なくともエリアが小さいと超音波処理とオーバーヘッドが少なくなるからである。これも、収差推定を用いた超音波オペレーションの改善となる。ここで、超音波デバイス１１０に少なくとも２つの設定変更をする。一方はアレイ１０４の並進移動であり、他方はアクティブトランスデューサ開口の縮小である。変更は、収差マップに反映されている、推定収差に基づき、さらに音響ウィンドウ２０４の配置２１６に基づく。
【００５３】
図２の第２の例では、トランスデューサアレイ１０４は偶然に音響ウィンドウ２０８とサイズが等しい。音響ウィンドウ２０８は、初期アクティブトランスデューサ開口２２８とサイズが等しい。したがって、音響ウィンドウ２０８に一致するようにアレイ１０４の並進移動を行う。しかし、開口２２８のサイズ変更やシフトは必要ではなく、望ましくもない。
【００５４】
第３の例では、アレイ１０４は音響ウィンドウ２３２とは部分的に重なってなく、アレイはウィンドウに完全に含まれている。したがって、アレイ１０４の並進移動は必要ない。アクティブトランスデューサ開口２３２は有利にも、音響ウィンドウ２１２に一致する開口２３６まで狭めることができる。
【００５５】
実際に行ったことは、推定手順の現在の繰り返しに基づき、音響ウィンドウ２１２を選択したことである。この選択は、音響ウィンドウ２１２の範囲２４０の選択を含む。トランスデューサアレイ１０４の並進移動については設定変更は必要ない。アレイはウィンドウ２１２をすでにカバーしているからである。しかし、デバイス設定変更により、初期アクティブ開口２３２をより小さい開口２３６にダウンサイズした。
【００５６】
これらはデバイス１１０の設定変更の一例であり、インターラクティブに実行できる。
【００５７】
上記の例は左手アレイ１０４のコンテキストで説明したが、右手アレイ１０８に関しても同様である。これは、収差特性を左手側頭骨１７６について推定し、次に右側頭骨１７２について測定し、その逆を行う対側構成のためである。
【００５８】
いくつかの実施形態では、各アレイ１０４、１０８は、補正アルゴリズムを改善するため、複数のパッチ３１０に分割される。図３は、代表的な２次元超音波トランスデューサアレイ３００の複数のパッチ３１０への分割を示す図である。各パッチ３１０は、上記の通り、隣接する個々のトランスデューサ要素の集まりである。それは近接場では小型フォーカストランスデューサとしてモデル化され、遠隔場では点音源としてモデル化される。  パッチ３１０の構成要素の入出力は、マイクロビーム形状であり、これは（例えば、収差補正ステージにおける）アクティブ開口の各パッチについて行われる。この処理は、例えばプローブ１１２、１１６で行える。メインプロセッサ１５２における第２のビーム形成ステージにより、開口中のパッチ３１０の結果に基づきビーム形成する。このように、パッチ３１０の入力は最初は別々にビーム形成されるが、複数のパッチ３１０の結果は第２ステージにおいて集合的にビーム形成される。パッチを伴う２ステージビーム形成の例は、Powers  et  al.の共有に係る米国特許第６，６２３，４３２号、「Ultrasonic  Diagnostic  Imaging  Transducer  with  Hexagonal  Patches」により詳しく説明されている。この開示は個々にその全体を参照援用する。ここではアレイ３００は円形で示したが、四角形など他の形状でもよい。
【００５９】
上記の収差推定手順では、受信用のパッチに分割されたアレイ１０４を繰り返し少しずつ並進移動し、この手順を繰り返すことにより解像度を改善できる。換言すると、収差を推定した後、音響ウィンドウ２０４、２０８、２１２を選択し、超音波デバイス１１０の１つ以上の設定を変更し、このプロセスを繰り返す。これに関し、アレイ配置アジャスタ１２０、１２４は、解像度を微調整するために、並進移動するアジャスタのパッチ３１０のサイズより短い距離３２０だけ、繰り返しごとに、横方向に微調整できる。
【００６０】
さらに、収差推定手順の一部として、アジャスタ１２０、１２４は、最適音響ウィンドウ２０４、２０８、２１２を見つける努力においてなされる、より大きな横方向の並進移動３３０を処理することができる。
【００６１】
後で更に説明するように、アジャスタ１２０、１２４はいくつかの実施形態では、軸方向の移動も提供することができる。
【００６２】
上記の並進移動又は運動はすべてマニュアルでも電動化してもよい。電動化する場合、収差推定に基づき超音波デバイス１１０により、自動的にかつユーザの介入の必要無しに行っても良い。
【００６３】
収差推定の結果は、透過ビームの形状の表示に基づき、他のインターラクションで利用することもできる。その形状は、収差推定結果を考慮することにより推定可能である。こうしたその他のインターラクションは、デバイス１１０の他の様々な設定の変更を含み、同様に以下に寄り詳しく説明する。
【００６４】
図４は、かかるインターラクションが基づく収差マップ４００の３つの例を示す図である。収差マップ４００は、図１を参照して説明した原音源・受信アレイ収差推定手順により求められる。図示した収差マップ４００は、（信号）位相遅延マップ４０２と、（信号）振幅損失マップ４０４と、（信号）波形歪みマップ４０６である。各マップ４０２、４０４、４０６の右は、対応するスケール４０８、４１０、４１２である。マップ４０２、４０４、４０６とそのスケール４０８、４１０、４１２は、連続スペクトルであり、ここでは白黒で示しているが、カラーコード化されている。よって、例えば、位相遅延マップスケール４０８の上部は下部と異なる色になっている。これは図４に示した白黒のグラフでは区別できない。とは言え、マップのデザインと機能は図示した白黒のグラフでデモンストレーションできると思われる。
【００６５】
３つのマップ４０２、４０４、４０６はすべて空間的には独立な変数であり、すなわち空間次元では独立な変数である。各マップ４０２、４０４、４０６について、その水平次元はアジマス４１３であり、垂直次元はエレビーション４１４である。アジマス４１３とエレベーション４１４は（空間的な）独立変数である。位相遅れ、振幅損失、及び波形歪みはそれぞれのマップ４０２、４０４、４０６の従属変数である。
【００６６】
物理的に、軸方向はトランスデューサアレイ１０４、１０８の面に、すなわち皮膚に直交している。アジマス方向は横方向であり、左右であり、エレベーション方向は上下である。
【００６７】
したがって、３つのマップ４０２、４０４、４０６は、数学的アレイであり、振幅対時間サンプルを取得した受信要素又はパッチ１８０に対応するそれぞれのマップの各要素４１５、４１６、４０８は取得され、記憶される。
【００６８】
サンプルは、正弦波入力波形またはトレースとしてマップ要素４１５、４１６、４１８のためにモデル化されている超音波圧力のものである。
【００６９】
位相遅延マップ４０２の要素４１５は時間であり、すなわち、時間、遅延であり、マイクロ秒で現すことができる。時間遅延は要素の点で相対的である。音は軟組織中よりも骨の中の方が速く進む。ある点音源１６０に対して、側頭骨１７２、１７６の比較的薄い部分を通りそれぞれの受信要素１８０に入る超音波の一部は、他の要因が同じであれば、側頭骨の厚い部分を通る超音波の他の部分より遅く到着する。相対的リード／ラグは、超音波波面の収差を構成し、補正しなければ、超音波の治療的又は診断的照射に潜在的にエラーを生ずるだろう。
【００７０】
遠隔場において対側点音源１６０から受信アレイ１０４、１０８に届く規則的な、収差を受けていない波面の場合でも、到着波面は球面であり、点音源を中心とする。したがって、現在の点音源からのそれぞれの距離については、受信要素１８０は異なる。収差を現さないこのジオメトリ効果を取り消すため、受信要素１８０に関連する波面を最小にアライメントする（align）。アライメントは均一な音速に基づく。それゆえ、波面のアライメントしたタイムシフトを決定する際は、例えば、ジオメトリのために、ある波面が他の波面よりも長い距離を進む場合、その距離をかかるすべての波面の計算で共通の音速で割る。
【００７１】
各受信要素１８０の波面をアライメントすると、処理は時間領域か、または周波数領域に進む。
【００７２】
時間領域において、一実施形態では、波形のペアの間で相互相関サーチを行う。最初に、すべての波形をコヒーレントに合計して、すなわち受信要素１８０ごとに１を足して、「総ビーム合計」信号を計算する。総ビーム合計信号は参照波形として機能する。相互相関サーチは参照波形と受信要素１８０の波形との間で行う。これは各受信要素１８０について行う。そのため、Ｎ個の受信要素１８０があるとき、Ｎ個の相互相関サーチを行う。各相互相関サーチにより、それぞれの時間ラグを生じ、これにより位相遅延マップ４０２の要素４１５の時間的遅延値を提供する。マップ計算を幾分簡単にするため、アレイ１０４、１０８の中心にある受信要素１８０を選択でき、総ビーム合計信号ではなく、その波形が参照波形として機能する。これは、中心位置が側頭骨１７２、１７６の最も薄い部分にあり、そのため減衰と波形歪みが一番小さいということに基づく。さらに別の実施形態であって、計算量が増える代わりによりロバストなものは、波形アライメント後に、波形の各組み合わせペアの間の相互相関サーチ、すなわちＮ個の要素１８０があるとき、Ｎ×（Ｎ−１）回のサーチを行うものである。結果としてＮ×（Ｎ−１）個の異なる時間値が得られる。この一組の値を逆数にして、Ｎ個の「絶対」時間値を求める。これは実際には絶対ではないが、一定値まで決まる。これは実際上の目的では問題とならない。
【００７３】
周波数領域に進むため、ジオメトリ的にアライメントされた波形を時間次元でフーリエ変換する。背景として、図１の上記の収差推定手順の点音源１６０からの放射されたビーム１６４は、１つ以上の伝搬する短いパルスから形成される。このパルスは中心周波数の周りの一定の周波数範囲を含み、中心周波数は変調された正弦波の周波数である。そのため、１つのパルスの送信により複数の周波数が得られる。そのパルスの各周波数成分は振幅と位相を有する。パルスが短ければ短いほど、送出される周波数範囲は広くなる。フーリエ分解により、パルスは周波数が異なる多数の連続定期な正弦波の和である。各正弦波は振幅と位相を有する。
【００７４】
フーリエ変換に入力されるアライメントされた波形は「振幅対時間」のシーケンスである。出力は周波数のシーケンスであり、各周波数は振幅と位相が関連している。これらの周波数は上記の周波数成分のものであり、変換によりその振幅と位相が得られる。アライメントされた各波形は変換され、同じ周波数のシーケンスを生じる。各周波数で、波形の振幅と位相が決定される。
【００７５】
次に、要素４１５ごとの位相遅延を抽出する。これらは位相遅延マップを形成する。より具体的に、アライメントされた波形はどれも対応する受信要素１８０の入力である。各受信要素１８０は、最終的に形成される位相遅延マップ４０２のそれぞれの要素４１５と関連する。したがって、ある周波数について、変換による波形毎に得られる位相の抽出により、その周波数の位相マップができる。これらの位相マップは位相アンラップされたものである。位相アンラップは、このコンテキストでは、隣接する要素間に尋号的な位相の不連続性を無くす数学的手順として知られている。その結果の各位相マップでは、周波数ごとに１つ、位相は角周波数により割られ、時間遅延に変換される。
【００７６】
位相アンラップした変換後のマップを平均するが、各マップを対応する周波数におけるトランスデューサのスペクトルの振幅で重み付けする。重みとして利用する周波数ベースの振幅は、上記の波形取得で取得でき、または音源トランスデューサに特有な値であり、各値は対応する周波数をエレクトロニクスが受信した振幅である。
【００７７】
要素ごとの重み付け平均により１つのマップ、すなわち位相遅延マップ４０２が得られる。
【００７８】
位相遅延マップ４０２は、例えばパッチ３１０を１つずつ順番にオンにすることにより、各点音源１６０について別々に作れる。そのため、Ｎこの点音源１６０を利用するとき、隣接する側頭骨１７２、１７６に基づき収差を分析するためにＮ個の位相遅延マップを利用できる。この手順を対側で繰り返すことにより、すなわち超音波の音源と送り先をひっくり返すことにより、Ｎ個の対側点音源１６０がある場合、さらにＮ個の位相マップができる。この第２のＮ個のマップのセットは他の側頭骨１７２、１７６に基づき収差を分析するためのものである。
【００７９】
位相遅延マップ推定のロバスト性を高めるため、これらのＮ個の遅延マップ４０２を平均する。平均する各遅延マップは、対応する各点音源１６０により放射された信号により、頭蓋を通って減衰した対応する測定波形により重み付けされる。重みは対側で生成した、すなわち反対方向の透過超音波から作成した振幅損失マップ４０４の要素４１６に対応する。
【００８０】
別のバージョンでは、アレイ１０４、１０８の一方を、点音源位置ごとに物理的にスキャンされる点音源として、単一開口、単一要素トランスデューサ１６０で置き換えても良い。対側側頭骨１７２、１７６を分析するために、構成を物理的に逆にしてもよい。
【００８１】
位相遅延マップ４０２をどう使うかについてもっと説明する前に、図４に示した別の２つのタイプの収差マップ４０４、４０６を説明する。
【００８２】
ある受信要素１８０において振幅損失マップ４０４について、受信波形の時間的最大値を抽出する。波形は時間の関数としての振幅の形式である。そのため、時間的最大値は振幅である。これをすべての受信要素１８０に対して（または、同様に、すべてのマップ要素４１６に対して）行う。結果として得られる振幅の２次元マップはその最大値で規格化される。換言すると、各振幅を、そのマップのすべての振幅にわたる最大値で割る。その結果の値は、それぞれ１０を底とする対数を取り、２０をかけて、デシベルに変換される。例えば、振幅のー６ｄＢの減少は約５０％の減少である。
【００８３】
波形歪みマップ４０６を構成するとき、各要素４１８について、波形は参照波形と比較される。参照波形は、一般的には事前に非臨床的設定で、頭蓋が無い不均一媒体における同様の対側構成で取得される。上記の比較は、参照波形がオーバーラップするように参照波形の遅延とスケーリングを含み、歪みを測定する波形の最初の数サイクルを含む。  波形の歪みの尺度は次式で表せる：
【数１】
2013503681.tif 000003
ここで、ｓｒｅｆ（ｔ）は遅延しスケーリングした参照波形であり、ｓ（ｔ）は歪みを測定する波形である。
【００８４】
歪みが無くｓ（ｔ）＝ｓｒｅｆ（ｔ）であれば、尺度は１である。例えば、頭蓋内の又はトランスデューサ・頭蓋反響により強い波形伸張があれば、尺度はゼロになる傾向がある。
【００８５】
波形歪みマップ４０６の有用性は、帯域幅を（例えば、ガウスエンベロープで）十分制御した波形を送信し、波形歪みに対する脳組織による減衰の影響が最小化されるようにしなければならないという点にある。
【００８６】
位相遅延マップ４０２に関して上記したように、収差マップ４０２、４０４、４０６は点音源ごとに、また対側側頭骨１７２、１７６による収差を考慮するため、その逆に生成できる。
【００８７】
同じ側の点音源１６０は、対側受信要素１８０に異なるアプローチ角を提供し、対側受信要素に隣接する側頭骨１７２、１７６の潜在的に不規則な表面に、対応する異なる入射角を提供する。したがって、アプローチ角の差分が小さくても、同じ側のマップはそれぞれ大きく変化する。また、近接場における側頭骨１７２、１７６の厚さの変化により、あるマップが同じ側の他のマップより非常に高い信号対ノイズ比（ＳＮＲ）に基づき、そのため、複数の対側要素で得られた複数のマップを（例えば、重み付け平均して）合成して、最終的な収差マップの推定の質を改善する利益が得られる。
【００８８】
収差マップ４０２、４０４、４０６は、超音波送信及び／又は受信の位置を改善することにより、及び／又は超音波のビーム形成を補正することにより、超音波オペレーションの改善に利用できる。
【００８９】
位相遅延マップ４０２を用いて、受信ビーム形成遅延により、不均一な頭蓋１３２を横断することによる受信信号の時間的アライメントのずれを補正することができる。これは受信収差補正の一例である。位相遅延マップ４０２を参照して、受信開口内の要素４１５を求め、受信ビーム形成遅延を修正して、これらの要素に関連する相対的遅延を補償し、それにより受信超音波ビームラインを補正する。同様に、上記の通り、相対的時間遅延を知ることにより、送信ビーム形成遅延を修正して、送信ビームの補正ができる。
【００９０】
図５は、位相遅延補償と、個々のトランスデューサ要素又は個々のパッチのビーム形成への貢献を重み付けマップとして調整する収差マップの使用とを示す概念的に示す。これらは、透過超音波が通過する不均一媒体１６８の一部１７６の特性に超音波を調整する例である。この特性は収差マップ４０２、４０４、４０６に反映されている。これらは、次に、音響ウィンドウ２０４、２０８、２１２の選択、及び／又はビーム形成の補正に反映される。その補正は、位相遅延調整の、及び／又はビーム形成に対するトランスデューサ要素／パッチの個々の貢献の増減の形式をとることができる。
【００９１】
一トランスデューサアレイ要素５０８により超音波波面の受信を表す第１の波面５０４は、同様に第２の要素５２０による受信を表す第２の波面５１６より、時間ラグ５１２だけ速い。ここで、時間ラグ５１２は収差によるものであり、ジオメトリによるものではないと仮定する。換言すると、この例では、２つの波面５０４、５１６はジオメトリとしてはアライメントされていると仮定する。したがって、時間ラグ５１２は、位相遅延マップ５０２の対応する要素４１５の間の差から求められる。ある開口とフィールドポイントについて、時間ラグ５１２を考慮する前に、例えば現在の超音波が放射される前に、第１の波形５０４はある受信遅延５２４を割り当てられている。第２の波形５１６は、その受信遅延５２８を割り当てられている。しかし、２つの波形５０４、５１６の収差による位相ずれとして時間ラグ５１２を考慮すると、第２の遅延５２８をその時間ラグだけ大きくして、それにより収差ベースの位相エラーを除去する。同様に、同じ時間ラグ５１２を送信ビーム形成に適用する。したがって、２つの空間次元を有する位相遅延マップ４０２に基づき、マップ要素４１５のペア間の相対的時間ラグ５１２を用いて遅延を修正し、それにより位相遅延ベースの収差補正を行う。
【００９２】
これらは、デバイス１１０の設定を、特にビーム形成遅延を修正して、超音波のビーム形成を補正する例である。この修正は収差の推定に基づき、より直接的には、収差推定の結果である収差マップ４０２に基づく。
【００９３】
他の２つの収差マップ４０４、４０６は、ビーム形成補正プロセスを支援できる。この支援は、関連するアレイ１０４、１０８の場合は、個々のトランスデューサ要素又は個々のパッチの貢献の増減の形式である。
【００９４】
ビーム形成は受信では動的に行われ、送信では静的に行われること以外には、ビーム形成の２つの形式は同様に行われる。
【００９５】
最初に受信ビーム形成の場合を考え、図５を参照して、パッチＰｉ，ｊ、Ｐｋ，ｌ、Ｐｍ、ｎ、Ｐｏ，ｐは受信開口Ａを構成する。フィールドポイント（ｘｓ，ｙｓ，ｚｓ）は患者などの超音波対象中の点であり、その点から測定される超音波エコーが戻る。測定は、エコーが戻るパッチＰｉ，ｊ、Ｐｋ，ｌ、Ｐｍ、ｎ、Ｐｏ，ｐにより行われる。ジオメトリで求めた時間ｔａ、ｔｂ、ｔｃ、ｔｄで取ったそれぞれのサンプルは、そのフィールドポイントにおける音響的反射の異なる「テイク（take）」を与える。したがって、サンプルは、音響圧力を表す電圧振幅ｖｉ，ｊ（ｔａ）、ｖｋ，ｌ（ｔｂ）、ｖｍ，ｎ（ｔｃ）、ｖｏ，ｐ（ｔｄ）の形式であるが、これを加算し、反射率のよりロバストかつ空間的により完全なビューを求める。和は「ビーム和」５３２として知られている。これは開口Ａとフィールドポイント（ｘｓ，ｙｓ，ｚｓ）の関数である。波形歪みを補正するため、単純和ではなく、重み付けした和を用いる。重みをｗｉ，ｊ、ｗｋ，ｌ、ｗｍ，ｎ、ｗｏ，ｐとすると、波形歪みマップ４０６の対応するエントリー４１７を使える。これは、図５に示したように、歪みマップ４０６からの流れを示す矢印５３６により表される。画像の明るさを維持するため、重みｗｉ，ｊ、ｗｋ，ｌ、ｗｍ，ｎ、ｗｏ，ｐを１単位に規格化して、例えばその平均が１になるようにしてもよい。これにより、開口Ａに対して、重みｎＡ（ｗｉ，ｊ）、ｎＡ（ｗｋ，ｌ）、ｎＡ（ｗｍ，ｎ）、ｎＡ（ｗｏ，ｐ）が得られる。その結果のビーム和５３２は次式の通りである：
【数２】
2013503681.tif 000004
【００９６】
このビーム和を用いると、歪みマップ４０６により、歪みが大きくなることが分かった受信パッチＰｉ，ｊ、Ｐｋ，ｌ、Ｐｍ，ｎ、Ｐｏ，ｐの出力は、フォーカシングへの貢献が小さくなる。具体的に、例として、ｎＡ（ｗｉ，ｊ）は、サンプル取得タイミングｔａ，ｔｂ，ｔｃ，ｔｄにおける開口Ａによるフィールドポイント（ｘｓ、ｙｓ、ｚｓ）に対する受信ビーム形成に対する、ｉ番目の行とｊ番目の列のトランスデューサ要素の貢献５４０を表す。
【００９７】
パッチ入力の実行可能性（viability）により貢献５４０を重み付けは、超音波オペレーションを改善し、超音波デバイス１１０の設定を修正することにより実現できる。ここで、修正される設定は、送信開口Ｂの電圧振幅重みｎＢ（ｗｉ，ｊ）、ｎＢ（ｗｋ，ｉ）、ｎＢ（ｗｍ，ｎ）、ｎＢ（ｗｏ，ｐ）である。
【００９８】
重みは送信ビーム形成で、一般的には受信開口Ａと同じである送信開口ＢのパッチＰｉ，ｊ、Ｐｋ，ｉ、Ｐｍ，ｎ、Ｐｏ，ｐの駆動で照射する電圧レベルの重み付けに用いることができる。
【００９９】
代替案は、振幅損失マップ４０４を重み付けマップとして用いることである。マップ４０４は振幅に「マッチドフィルタ（matched  filter）」を用いるのにも用いることができる。具体的に、値が比較的低いマップ要素４１６に対応するトランスデューサ要素／パッチからの、またはそれへの信号は、頭蓋１３２の粗い部分を横切り、フォーカシングの質に悪い影響を与えると仮定する。これらのトランスデューサ要素／パッチは、したがって、送信時に、より低いパワーで駆動され、及び／又は受信時に、ビーム和において低い重み付けがされ、それにより送受信ビーム形成への相対的な貢献５４０を小さくする。
【０１００】
上記の通り、振幅損失マップ４０４と歪みマップ４０６は、両方とも別々に、受信又は送信時に要素ごとのパワー駆動レベルを選択的に補償する、及び／又は小さくするために利用できる。あるいは、２つのマップ４０４、４０６の組み合わせを用いても良い。
【０１０１】
他の可能性として、すべての要素がフォーカシングに等しく貢献するように、振幅損失マップ４０４の低い値は、送信時のパワーレベルと受信時の重みを大きくすることにより、振幅補償できる。
【０１０２】
超音波デバイス１１０は、上記の通り、振幅及び歪みマップ４０４、４０６の少なくとも一方を利用して、重み付けマップとして、個々のトランスデューサ要素の、又は個々のパッチのビーム形成への貢献５３６を調整するように構成されている。
【０１０３】
（最良の）音響ウィンドウ２０４、２０８、２１２の選択は、どの収差マップ４０２、４０４、４０６に基づくものであってもよい。（音速が速い骨を通る最短経路に対応する）振幅損失が小さく、波形歪みが小さく、飛行時間（time-of-flight）が長いエリアは、例えば画像化とトランステンポラル・エネルギー・デポジション（transtemporal  energy  deposition）のため、最も薄い骨と最良の音響ウィンドウがあることを示す。
【０１０４】
このように、位相遅延マップ４０２の場合、振幅が最大の、すなわち時間遅延が最大のエントリー４１８は、最も良い音響ウィンドウを示す。これはマップごとに判断する。遅延値は、対側音源点１６０における側頭骨１７２、１７６の厚さによりバイアスを受けるからである。
【０１０５】
全部で３つのマップ４０２、４０４、４０６のうち１つか２つを用いて、自動的に、ユーザの介入を必要とせずに、又は超音波ユーザにマニュアルで、又は自動化した手段でプローブを再配置できる視覚的なフィードバックを提供することにより、最良の音響ウィンドウの前に側頭骨１７２、１７６におけるプローブ１１２、１１６の配置を最適化できる。
【０１０６】
それぞれの周波数に基づいて求めた収差マップ４０２、４０４、４０６を用いることが望ましい。位相マップ４０２は、上記の通り、それぞれの周波数の位相マップの重み付け平均として生成される。振幅及び歪みマップ４０４、４０６も、周波数により、すなわち受信した超音波の中心周波数により別々に生成できる。これらの周波数固有マップ４０２、４０４、４０６を用いて、オペレーションの際に使われる周波数における最適性能を得ることができる。特に、選択された音響ウィンドウにおける周波数ベースの小さな変化は、一般的に、アレイ並進移動及び／またはビーム形成補正への同時調整を示唆する。
【０１０７】
さらに、点音源１６０の順次スキャンへの代替案がある。アレイ１０４、１０８は両方とも保持されるが、点音源１６０は連続してスキャンされない。それよりも、複数の点音源１６０は、一般的に連続していないか、全てが連続しているものではないが、一緒に放射してＳＮを改善する。複数のスキームを用いることができる。これには、これには空間的（例えば、アダマール）エンコーディングと時間的（例えば、チャープ（chirps））エンコーディングと、右側のアレイからのフォーカスされたビーム（これらは収束ビームと発散ビームを含み、フォーカスは脳の内側でも外側でもよい）の使用が含まれる。ここで、受信した波形の信号処理をする前に、すなわち時間領域又は周波数領域において、側頭骨１７２の表面にできるだけ近い対側音源１６０で得られただろう、そして１つ１つ放射されただろう信号を再構成するために受信信号を反転する。これは空間的復号として知られている。空間的復号の一例はアダマールコーディングである。例えば、頭蓋１３２の反対側に４つの点音源１６０がある場合、シーケンス１  ０  ０  ０  ０  １  ０  ０  ０  ０  １  ０  ０  ０  ０  １により順番に放射させと決めることができるし、アダマールシーケンス１  １  １  １  １  １  -１  -１  １  -１  -１  １  １  -１  １  -１を用いることができる。ここで、１は「オン」を表し、−１は位相が逆の「オン」を表し、０は「オフ」を表す。受信信号を操作して、最初の、すなわち一度に１つの点音源のシーケンスで得られた受信信号を再生成する。ここで、複数のトランスデューサを用いてある時に送信することにより、ＳＮＲを向上する。アダマールコーディングのための点音源１６０は、一度に１つの点から放射するのと同様に、送信トランスデューサアレイ１０４、１０８に分散している。この他の既知の代替的な空間的コーディングスキームも利用できる。
【０１０８】
図６は、図１の対側構成の修正を示している。右手アレイ１０８は右側頭骨１７２の外側表面６１０にフォーカスするため、並進移動されている。右手アレイ１０８は、右手側頭骨１７２から短い距離のところに配置され、そのビームフォーカス６２０は外側表面６１０の仮想点音源として利用されるようになっている。こうして、右側頭骨１７２を通るビーム送信損失を右手アレイ１０８により受信する反射信号に基づいて計算できる。これにより、経頭蓋送信係数の測定が可能になり、さらに脳内の超音波強度を予測できる。強度の予測は、高密度焦点式超音波（HIFU）ビームなどの治療用ビームの照射の準備で行われる。右手アレイ配置アジャスタ１２４を、軸を延ばした位置に示した。この位置はマニュアルで、又は電動化移動により到達できる。これは、例えば、装置ディスプレイ１４８への表示により、又は受信した反射信号の強度により、インターラクティブに実現できる。電動化する場合、例えば強度に基づき、超音波デバイス１１０により、自動的にかつユーザの介入を要さずに行っても良い。ジェル枕のような接触媒体を使い、延長した位置に連続した超音波伝搬経路を設ける。
【０１０９】
図７は、治療的ビーム７２０の治療領域７３０への照射を示す、対側構成７１０の一例を示す図である。上記のように、収差マップ４０２、４０４、４０６を用いて、治療的ビーム７２０の経頭蓋収差を補正できる。
【０１１０】
両方のアレイ１０４、１０８から動的受信フォーカシングビーム形成を適用して、治療的ビーム配置をディスプレイ１４８に可視化する。特に、入射治療ビーム７２０からの散乱／反射信号は、デバイス１１０の対側構成の両アレイ１０４、１０８により受信され、３次元動的フォーカシングでビーム形成される。このように、超音波デバイス１１０は、単一送信超音波パルス７４０から、及び一連の送信パルスから、両側から、ビーム形成を受信するように構成されている。非送信アレイ１０４により受信ビーム形成は、ある時点で、霧の中で、あなたに向かって来る右か左かどちらか一方に進んでいる車のヘッドライトを見るのに例えられる。
【０１１１】
受信ビーム形成は、プローブのフットプリントの下の側頭骨１７２、１７６の事前に取得した収差マップ４０２、４０４、４０６に基づいて、受信収差補正を考慮することを含む。位相収差補正は、例えば、受信ビーム形成の一部である。補正は、超音波デバイス１１０のパッチ重みなどの設定の修正で行うことができた。あるいは、ビーム形成時に、補正は前の修正に基づいて、動的に行える。どの場合も、修正は収差推定の結果に基づいて行われる。
【０１１２】
治療ビーム７２０は同じ送信ビーム形成パラメータで維持されるが、２つの対側「単一送信」画像を、側頭骨ウィンドウにロックした両アレイ１０４、１０８から連続的に得ることができる。
【０１１３】
ビーム７２０の位置と範囲のリアルタイムの改良した可視化は、２つの画像を合成することにより得られる。２つの画像を合成する手段は本技術分野で周知である。
【０１１４】
治療ビーム可視化により治療ビーム７２０の焦点位置とサイズの調整をガイドできる。可視化は、造影マイクロバブルがある場合は、それからのサブハーモニクスまたはスーパーハーモニクスを受信して改良できる。
【０１１５】
図８は、マイクロバブルベースの強度推定であって、超音波強度を測定するためにテストビーム８０４の治療領域８０８への印加例と、同じ深さ８２０にある参照領域８１６へのテストビーム８１２の印加例とを示す。
【０１１６】
マイクロバブルベースの超音波造影剤は、超音波媒介又は超音波エンハンスト脳卒中治療で使われることが多い。（動脈閉塞を起こし虚血性脳卒中を招いている）血栓の近くにあるマイクロバブルを振動させて、その血栓への局所的な超音波照射を大幅に増やすことができるからである。治療（又は閉塞）領域の超音波強度は、その治療領域８０８内の造影マイクロバブルからの、又は治療領域に近い参照領域８１６内の造影マイクロバブルからのサブハーモニック放射の始まりの閾値を測定することにより、推定できる。キャビテーションの始まりの測定に治療領域８０８でなく参照領域８１６を用いる動機は、超音波を当てたマイクロバブルからのロバストな信号を受信するために、造影マイクロバブルの適当な流れ及び／又は灌流が必要であることによる。一例として、参照領域８１６は治療領域８０８の近くに示したが、同じ深さ８２０にある（そのため、プローブ１１２、１１６から参照領域への超音波減衰は、そのプローブから治療領域までの減衰と同様である）。
【０１１７】
治療又は参照領域８１６におけるサブハーモニック信号の始まり８２４は、使用する造影剤により変わるが、テストビーム８０４、８１２の強度（又は音響圧力）を、ロバストなサブハーモニック信号が左手アレイ１０４又は右手アレイ１０８により（急に）受診されるまで、徐々に強くすることにより決定できる。サブハーモニック信号の振幅８３２を図８に示した。したがって、強度８２８の増加に対するバブル振動のサブハーモニック周波数成分の振幅８３２の増加を、アレイ１０４、１０８によりモニタし、安定したキャビテーションの急な始まりを検出する。
【０１１８】
サブハーモニック信号振幅対音響圧力の測定は、非臨床的、実験的設定の場合について、米国特許第６，３０２，８４５（Shi  et  al.、「Method  and  System  for  Pressure  Estimation  Using  Subharmonic  Signals  from  Micro-Bubble  Based  Ultrasound  Contrast  Agents」）に説明されている。実験的な詳細は、文献「Shi  WT,  Forsberg  F,  Raichlen  JS,  Needleman  L,  Goldberg  BB.  Pressure  dependence  on  subharmonic  signals  from  contrast  microbubbles.  Ultrasound  Biol  Med  １９９９;  ２５:  ２７５-２８３」に記載されている。両文献の全開示はここに参照援用する。
【０１１９】
上記の通り、マイクロバブルエンハンスト脳卒中治療は、治療ビームのより正確な配置と強度予測により、改善される。
【０１２０】
さらに有利な特徴は、収差を生じた治療ビームの形状を、推定収差と送信ビーム形成パラメータとに基づき、予測する能力と、送信ビームをインターラクティブに調節して収差を減少させる可能性である。
【０１２１】
図９は、ビーム収差を考慮した送信ビーム９３０の予測形状９２０を表すパターン９１０を示す。
【０１２２】
パターン９１０は、治療ビームなどの照射する超音波ビーム９３０の形状の予測９２０として、ユーザに表示されるものの一例である。この図では、センチメートル単位の縦軸（ｚ）は、軸方向９４０であり、ミリメートル単位の水平軸ｘはアジマス方向８５０である。実際には、２次元ビームプロファイル（軸×アジマス又は軸×エレベーション）又は３次元ビームプロファイルを表示する。ここで、ビームフォーカスは約５センチメートルである。右側のスケールは、相対的時間的平均強度レベルを表す。再び、レジェンドは元々はカラーであったが、ここでは白黒で示している。特に、強度値は、（表示するスペース全体にわたる）その最大値に基づいて規格化され、デジベル単位で表示されている。関数は必ずしも時間的平均強度ではなく、例えば圧力振幅の時間的最大値、又はメカニカルインデックス（ＭＩ）であってもよい。
【０１２３】
送信ビーム形成パラメータと推定収差に基づきビーム形状を予測する機能は、収差が大きな問題であることが分かっている画像化媒体にとって特に有利であり、超音波の治療的利用のツールとして好適でもある。
【０１２４】
いくつかの実施形態では、マルチエレメントトランスデューサアレイ１０４は、超音波を受信し、ソフトウェアやハードウェアが収差を推定し、ソフトウェアが収差を受けた超音波ビームの形状を予測し、その画像が表示される。
【０１２５】
ビーム形成パラメータと収差推定に基づきビーム形状を予測する具体的な方法は、２次元画像化のための１次元アレイと治療ビームステアリングの簡単な例を用いて、以下に説明する。これらの方法は３次元の場合に容易に一般化できる。
【０１２６】
側頭骨などの収差源（aberrator）は無限に薄く、無限に測定アレイに近いと仮定する。次に、収差は、要素ごと、周波数ごとに、位相（シフト）と振幅（減衰）により記述できる。この収差を測定する手段を、位相遅延マップ４０２に関して説明した。そこで、空間次元ｘに沿って１次元の、角周波数ωにおける収差マップＡｂ（ｘ，ω）は、次式で表せる：
【数３】
2013503681.tif 000005
ここで、Ａ（ｘ，ω）は振幅（減衰）項であり、φ（ｘ，ω）は位相（収差）項である。ここで、我々の画像化又は治療デバイスが、かかる収差の影響を受けているとする。引き続き、ある深さとあるアジマスにフォーカスして、ある送信アポディゼーション（apodization）Ａでそれを行う。すなわち、次の波面
【数４】
2013503681.tif 000006
を送出するように、送信ビームフォーマをプログラムする。
ここで、θ（ｘ，ω）は媒体中の所望の位置（例えば、血管を閉塞している血栓）にフォーカスするのに必要なジオメトリックな（１次元アレイでは円筒形、２次元アレイでは球形の）フォーカシングフェージングである。深さｚ０、アジマスｘ０にフォーカスするため、送信フェージング（ｃは音速）は次式である
【数５】
2013503681.tif 000007
【０１２７】
収差のため、実際に脳に浸透しているのは、次の波面である
【数６】
2013503681.tif 000008
【０１２８】
１．レーリー・ゾンマーフェルトビーム推定
レーリー・ゾンマーフェルト方程式は、Ａｓｅｎｔ（ｘ，ω）に基づき、媒体中の任意の点（ｘｆ，ｚｆ）において場Ａｆｉｅｌｄ（ｘｆ，ｚｆ，ω）がどうなるかを直接示している：
【数７】
2013503681.tif 000009
ここで、
（外１）
2013503681.tif 000010
は、任意のアレイ要素（アジマス位置ｘ）と、場を決定したい点（ｘｆ，ｚｆ）との間の距離である。積分範囲はアレイの開口である。
【０１２９】
次の式は、音源が単純な場合に式（１）を簡略化したものであるが、実際の場合によい近似となっている：
【数８】
2013503681.tif 000011
【０１３０】
まとめると、ある測定収差ＡＡｂ（ｘ，ω）と既知の照射送信波面ＡＦＯＣ（ｘ，ω）を有する任意の点における場の推定は次を含む：
−収差を送信波面にかけて、
（外２）
2013503681.tif 000012
を求める。波面は媒体に有効に送信されたものである（式（ｄ））。
−Ａｓｅｎｔ（ｘ，ω）をレーリー・ゾンマーフェルト積分に入力する（式（１）又は（２））。
−媒体中で受信される時間的場を知るために、計算した場Ａｆｉｅｌｄ（ｘｆ，ｚｆ，ω）の逆時間フーリエ変換を実行する。
【０１３１】
２．フーリエ又は「角スペクトル」再伝搬
送信された場Ａｓｅｎｔ（ｘ，ω）は、その横（空間的）フーリエ変換を取ることにより、その角スペクトル成分に分解できる。
【数９】
2013503681.tif 000013
【０１３２】
同様に、深さｚにおいて検知される場（ｚ＝０において送信した場Ａｓｅｎｔに基づき予測したいもの）は、次式に分解できる：
【数１０】
2013503681.tif 000014
【０１３３】
深さｚにおける角スペクトルと深さ０における角スペクトルとの間には次の関係がある：
【数１１】
2013503681.tif 000015
【０１３４】
まとめると、測定した収差と既知の照射した送信波面から深さｚにおける場を求めるには、
−収差を送信波面にかけて、
（外３）
2013503681.tif 000016
を求める。波面は媒体に有効に送信される（式（ｄ））。
−角スペクトルＵ（ｋｘ，ｚ＝０）を求めるために、横次元にわたりＡｓｅｎｔ（ｘ，ω）をフーリエ変換する。
−Ｕ（ｋｘ，ｚ，ω）を得るため、角スペクトルを伝搬する（式（３））。
−Ｕ（ｋｘ，ｚ，ω）を逆フーリエ変換して、深さｚにおける場Ａ（ｘ，ｚ，ω）を求める（これは式（２）の逆である）。
−媒体中で受信される時間的場を知るため、計算した場Ａ（ｘ，ｚ，ω）の逆時間フーリエ変換を行う。
【０１３５】
３．時間領域ビーム形成
他の可能性として、すべて時間領域で行うこともできる。ｓ（ｉ，ｔ）をトランスデューサよそｉが対側トランスデューサから受信した時間トレース場であるとすると、信号をアライメントするため、ジオメトリによる遅延が除去される（これらの信号は、振幅と位相収差の両方により、及び波面歪みによる影響を受けている）。τ（ｉ）は、送信フォーカシングを達成するために、すなわち、深さｚ０、アジマスｘ０、
（外４）
2013503681.tif 000017
である点にフォーカスするために、すべてのトランスデューサ要素に適用される遅延である。時間領域では、（収差源（aberrator）を通った）送信信号は次式で表せる：
【数１２】
2013503681.tif 000018
（位相・振幅収差はｓ（ｉ）に含まれる）。次に、（ｘｆ，ｚｆ）における場で受信した時間信号はすべてのトランスデューサ要素から来るものの貢献の和である：
【数１３】
2013503681.tif 000019
【０１３６】
τ（ｉ，ｘｆ，ｚｆ）を音がトランスデューサ要素ｉから場の点（ｘｆ，ｚｆ）まで進むのに必要な時間とすると：
【数１４】
2013503681.tif 000020
【０１３７】
まとめると、測定収差と既知の照射した送信波面から任意の点の場を求めるには、
−すべてのトランスデューサ要素が対側トランスデューサから受信した時間信号を測定し、ｓ（ｉ，ｔ）を求める。
−式（１）のように、所望の送信ビーム形成パラメータ（アポディゼーションと時間遅延）を適用する。
−式（３）のように、測定トレースに遅延を適用して、任意の場の点への伝搬をシミュレーションする。
【０１３８】
図１０は、経頭蓋画像化／治療収差予測／補正プロセス１０００を示す。収差推定手順において、超音波１６４は不均一媒体１６８を通って送信され、対側で受信される。送信は、点音源ベースである程度順番に行われ、２次元トランスデューサアレイ１０４、１０８により受信される。受信アレイ１０４、１０８の要素について、相対時間遅延及び／又は振幅減衰及び／又は歪みを推定する。推定は、場合によっては収差マップ４０２、４０４、４０６の形式であり、それを用いて音響ウィンドウ２０４、２０８、２１２の配置／範囲を選択する。推定する側のアレイ１０４、１０８は、適当であれば、対応する並進移動をする。上記手順はインターラクティブであり、再び透過超音波を送るなどして繰り返す（ステップＳ１００４）。反対側の側頭骨１７２、１７６を収差において考慮するように、収差推定は対側で繰り返される。このステップは、前のステップ、すなわちステップＳ１００４の動作と入り交じってもよい（ステップS１００８）。収差マップ４０２、４０４、４０６を構成し、構成したら装置ディスプレイ１４８に表示できる。ステップSI００４と関連して上記したように、収差マップ４０２、４０４、４０６は、すでに構成され利用されている（ステップＳ１０１２）。ビーム形状を予測する場合（ステップＳ１０１６）、送信ビーム形成パラメータと収差推定に基づいて行い、予測９２０は装置ディスプレイ１４８に表示できる（ステップＳ１０２０）。収差ビーム９３０の表示された予測９２０にインターラクティブに基づき、収差推定及び／又は（ステップＳ１０２４）ビーム形状予測で用いる送信ビーム形成パラメータを変更するデバイス１１０の設定を修正する場合、修正を行う（ステップＳ１０２８）。そうでなければ、かかる（さらなる）修正をせず、ビーム形状を予測しない場合、位相遅延補正やビーム形成のためのパッチ貢献重み付けなどの超音波補正を、収差推定の結果に基づいて行う（ステップＳ１０３２）。超音波治療ビームの強度を予測するため、トランスデューサアレイ１０４、１０８の対側構成を設ける（及び、プロセス１０００のこの時点では、一般的には両アレイは設けられている）（ステップＳ１０３６）。例えば静脈に、治療又は参照領域８０８、８１６に向けてバブルが供給される（ステップＳ１０４０）。超音波強度を徐々に上げて、治療領域８０８内の造影マイクロバブルから、又は治療領域に近い参照領域８１６内のマイクロバブルからのサブハーモニック放射の始まりをモニタする（ステップＳ１０４４）。デバイス設定修正により収差補正した治療ビーム７２０を、治療領域７３０に照射する。頭蓋１３２の両側からの受信ビーム形成は、両側のそれぞれの収差推定結果に基づいて事前に実行されたデバイス修正を利用できる。２つの取得画像は、相関され、合成され、ビーム配置の可視化を改善する（ステップＳ１０５２）。
【０１３９】
特に透過画像化又は治療における超音波収差を、２次元受信トランスデューサアレイにより、受信した超音波の収差の横方向に２次元性をキャプチャすることにより補正する。いくつかの実施形態では、透過超音波は、時間的ウィンドウにより印加され、例えば、一度に１つ以上のリアル又はバーチャルの点音源から放射される。各点音源は１つのトランスデューサ要素、又はパッチ、又は要素又はパッチの集まりのジオメトリカルフォーカスである。一態様では、パッチは近接場における小さなフォーカスされたトランスデューサとして機能する。対側アレイは、一実施例では、点音源よりなる。いくつかの態様では、独立変数的には、受信トランスデューサのアレイ構造に対応するように構成された収差マップは収差推定を化体し、超音波デバイスは、超音波送受信の位置の改善又はビーム成形の補正をするためにデバイス設定を修正することにより、超音波オペレーションを改善するように構成されている。改善には、ビーム配置の可視化、強度とビーム形状の予測が含まれる。
【０１４０】
もちろん、上記の実施形態は、本発明を例示するものであり、限定するものではなく、当業者は、添付したクレームの範囲を逸脱することなく、別の実施形態を多数設計することができる。例えば、対側構成を患者の頭蓋に固定しつつ、収差を補正された両側の受信ビームを維持して、脳構造の変化をモニタすることもできる。クレームにおいて、括弧の間に入れた参照符号はクレームを限定するものと解釈してはならない。「有する」という動詞及びその変化形を用いたが、請求項に記載された要素または段階以外の要素の存在を排除するものではない。構成要素に付された「１つの」、「一」という前置詞は、その構成要素が複数あることを排除するものではない。本発明は、複数の異なる構成要素を有するハードウェア手段によって、または好適にプログラムされた、コンピュータ読み取り可能媒体を有するコンピュータによって実施してもよい。相異なる従属クレームに手段が記載されているからといって、その手段を組み合わせて有利に使用することができないということではない。
【図１】
2013503681.tif 000021
【図２】
2013503681.tif 000022
【図３】
2013503681.tif 000023
【図４】
2013503681.tif 000024
【図５】
2013503681.tif 000025
【図６】
2013503681.tif 000026
【図７】
2013503681.tif 000027
【図８】
2013503681.tif 000028
【図９】
2013503681.tif 000029
【図１０】
2013503681.tif 000030
【手続補正書】
【提出日】平成24年3月12日(2012.3.12)
【手続補正１】
【補正対象書類名】特許請求の範囲
【補正対象項目名】全文
【補正方法】変更
【補正の内容】
【特許請求の範囲】
【請求項１】
不均一媒体を通過した、伝搬方向で受信するために放射された超音波を含む透過超音波を受信するように構成された２次元トランスデューサアレイと、
（ｉ）前記受信した超音波に、前記アレイの２つの空間次元で、前記２つの空間次元の横方向の収差を占める収差推定を行い、（ｉｉ）前記収差推定の結果に応じて装置の超音波オペレーションを制御して前記超音波オペレーションを改善するように構成され、前記制御は（ａ）位相収差補正と（ｂ）トランスデューサ要素／パッチの送受信重み付けとを含むプロセッサとを有する、前記装置。
【請求項２】
前記プロセッサは、さらに、前記収差推定の前記結果に基づき、ａ）超音波送信又は超音波受信の少なくとも一方のロケーションの改善、及びｂ）超音波のビーム形成の補正のうち少なくとも一方をするために、前記装置の設定を修正するように構成された、請求項１に記載の装置。
【請求項３】
前記プロセッサは、（ｉ）音響ウィンドウの選択された配置と（ｉｉ）前記音響ウィンドウの選択された範囲のうち少なくとも一方に基づき前記装置設定を修正する、請求項２に記載の装置。
【請求項４】
前記結果は、エレベーションとアジマスの両方が独立変数である少なくとも１つの収差マップを含み、前記装置設定の前記修正は前記少なくとも１つの収差マップに基づく、請求項２に記載の装置。
【請求項５】
前記結果は、各々が空間的に独立な変数を有する複数の収差マップを含み、（ｉ）信号時間遅延、（ｉｉ）信号振幅、及び（ｉｉｉ）信号歪みのうち少なくとも２つが各マップの従属変数である、請求項１に記載の装置。
【請求項６】
前記結果は（ｉ）信号振幅マップと（ｉｉ）信号歪みマップのうち少なくとも一方を有し、前記プロセッサはさらに、前記信号振幅又は信号歪みマップの少なくとも一方を利用して、（ａ）個々のトランスデューサ要素又は（ｂ）個々のパッチのビーム形成に対する貢献を、重み付けマップとして調整するように構成された、請求項１に記載の装置。
【請求項７】
さらに、対側トランスデューサアレイを有し、前記対側トランスデューサアレイは、１つの超音波送信パルスから、両側からビーム形成を受けるように構成された、請求項１に記載の装置。
【請求項８】
前記プロセッサは、さらに前記ビーム形成により両側で取得した画像を合成するように構成された、請求項７に記載の装置。
【請求項９】
前記透過超音波は前記対側トランスデューサアレイから放射され、前記プロセッサはさらに、前記ビーム形成が、（ｉ）受信透過超音波への前記収差推定と、（ｉｉ）対側に受信した透過超音波への収差推定の両方に基づく受信収差補正を考慮するように前記装置の超音波オペレーションを制御するように構成されている、請求項７に記載の装置。
【請求項１０】
前記対側トランスデューサアレイに分布した点音源から、前記透過超音波を放射するように構成された対側トランスデューサアレイをさらに有し、点音源は前記対側トランスデューサアレイのパッチまたはトランスデューサ要素を有し、前記プロセッサはさらに、前記実行された収差推定に基づき、音響ウィンドウを選択するように構成された、請求項１に記載の装置。
【請求項１１】
前記２次元アレイと対側アレイのうち少なくとも１つを、そのパッチのサイズより小さい距離だけ並進移動するように構成されたアレイ配置アジャスタを更に有する、請求項１に記載の装置。
【請求項１２】
前記トランスデューサアレイに対側配置するために、前記透過超音波の音源を更に有する、請求項１に記載の装置。
【請求項１３】
前記音源はパッチを有し、その入力は最初に別々にビーム形成され、前記実行のため、前記アレイに対して点音源として機能する、請求項１２に記載の装置。
【請求項１４】
前記音源は対側アレイを有し、前記プロセッサはさらに、前記対側アレイから側頭骨の外側表面にビームをフォーカスするように構成され、前記フォーカスは、前記実行のため、前記トランスデューサアレイに対して点音源として機能する、請求項１２に記載の装置。
【請求項１５】
前記通過は前記媒体の一部を通り、前記超音波オペレーションの前記改善は前記超音波を前記部分の特性に調節を含む、請求項１に記載の装置。
【国際調査報告】
2013503681.tif 000031
2013503681.tif 000032
2013503681.tif 000033
2013503681.tif 000034
2013503681.tif 000035
2013503681.tif 000036